(57)【要約】【課題】無線タグが内蔵されていると共に、可視情報タグの挿脱着が可能であって、品質の安定化、生産性の向上及び外形サイズの小型化を図ることができるタグホルダー、このものを効率よく製造する方法を提供する。【解決手段】粘着剤層付き無線タグと、二つの所定形状部と無線タグ固定用突出片を有するタグホルダー用基材シートからなり、可視情報タグを挿脱着するための開口部を有し、前記無線タグの粘着剤層が、前記無線タグ固定用突出片及び前記所定形状部に固定されてなるタグホルダー、及び二つ折りすることで、無線タグの両面それぞれの全面を実質的に覆うことができる大きさの二つの所定形状部及び無線タグ固定用突出片を少なくとも有する基材シートを用い、当該基材シートの前記所定形状部の一つに、粘着剤層付き無線タグを、その粘着剤層が上面になるように載置し、次いで当該基材シートを二つ折りして、もう一方の所定形状部を前記粘着剤層に貼合する工程を有するタグホルダーの製造方法である。【選択図】図２
2007072896.tif 000002
【特許請求の範囲】
【請求項１】
粘着剤層付き無線タグと、二つの所定形状部と無線タグ固定用突出片を有するタグホルダー用基材シートからなり、可視情報タグを挿脱着するための開口部を有し、前記無線タグの粘着剤層が、前記無線タグ固定用突出片及び前記所定形状部に固定されていることを特徴とするタグホルダー。
【請求項２】
可視情報タグ及び無線タグの形状が方形状である請求項１に記載のタグホルダー。
【請求項３】
タグホルダー用基材シートが１枚の基材シートのみを用いて作製されてなる請求項１又は２に記載のタグホルダー。
【請求項４】
基材シートが透明性を有する、プラスチックシート、紙基材又はラミネート紙である請求項１〜３のいずれかに記載のタグホルダー。
【請求項５】
ホルダー本体部の大きさが、内蔵してなる無線タグとほぼ同じ大きさであり、かつ可視情報タグの大きさが、前記無線タグと同じ大きさであるか、又はそれより小さい請求項１〜４のいずれかに記載のタグホルダー。
【請求項６】
無線タグが、ＩＣチップ及びアンテナ回路を有する非接触ＩＣタグである請求項１〜５のいずれかに記載のタグホルダー。
【請求項７】
二つ折りすることで、無線タグの両面それぞれの全面を実質的に覆うことができる大きさの二つの所定形状部及び無線タグ固定用突出片を少なくとも有する基材シートを用い、
当該基材シートの前記所定形状部の一つに、粘着剤層付き無線タグを、その粘着剤層が上面になるように載置し、次いで当該基材シートを二つ折りして、もう一方の所定形状部を前記粘着剤層に貼合する工程、
を有することを特徴とする請求項２〜６のいずれかに記載のタグホルダーの製造方法。
【請求項８】
請求項７に記載の製造方法において用いられるタグホルダー用基材シート。
【発明の詳細な説明】
【技術分野】
【０００１】
本発明は、タグホルダー、その製造方法及びタグホルダー用基材シートに関する。さらに詳しくは、本発明は、無線タグが内蔵されていると共に、可視情報タグの挿脱着が可能であって、品質の安定化、生産性の向上及び外形サイズの小型化を図ることができるタグホルダー、このものを効率よく製造する方法、及びこの製造方法に用いられるタグホルダー用基材シートに関するものである。
【背景技術】
【０００２】
近年、無線タグの一種である書き換え可能記憶装置を備えた無線通信用ＩＣを使用した非接触ＩＣタグ（荷札）が注目されている。一般的に非接触ＩＣタグは、読み取り装置からの要求に応じて非接触ＩＣタグと読み取り装置間で無線通信を行う。
この非接触ＩＣタグは、「物」に付けられたタグの内部に電子的な情報をもち、読み取り装置と電波でやりとりすることで、「物」の情報を識別する機能を有し、従来のバーコードと比べて、（１）タグが保持する情報量が多い、（２）離れていても（直接見えなくても）認識することができる、（３）多数のタグを一度に認識することができる、（４）タグの情報を書き換えることができる、などの特徴を有している。
このような非接触ＩＣタグは、例えば生産現場、流通段階、販売段階、廃棄リサイクル段階での管理や、物流管理などに利用することができる。非接触ＩＣタグは、一般にＩＣチップと、それに接続されるアンテナから構成された非接触型の不可視情報読み取り・書き込み手段を有している。
一方、高価な商品の販売においては、顧客にとって、その商品の価格などが分かるように、通常価格やその他商品情報を表示するための可視情報タグも用いられている。
例えば、宝石類などの販売においては、一般に非接触ＩＣタグホルダー内に非接触ＩＣタグ及び可視情報タグを内蔵させて、商品情報を表示するために、ポリプロピレンやポリ塩化ビニルなどのプラスチックからなるホルダーのポケットに、ＩＣチップとアンテナ基板のみからなるインレット及び可視情報タグを挿入することが行われている。
しかしながら、このような非接触ＩＣタグ内蔵タグホルダーにおいては、インレットを個片に切断する工程、あるいはインレットの通信検査時や、インレットをホルダー内に挿入する際のいずれにおいても、作業性が悪く、生産性に劣る上、インレットが被覆保護されていないことに起因して、異物混入や静電気による不良発生が起こりやすいなどの問題があった。
さらに、非接触ＩＣタグ内蔵タグホルダーに対しては、要求される各機能を満たすと共に、本来可能な限り小型化することが求められるにもかかわらず、インレットを挿入するための寸法に若干の余裕をもたせる必要があった。
また、従来の非接触ＩＣタグ内蔵タグホルダーにおいては、インレット及び製品の検査のいずれにおいても、検査の自動化を行うことは困難であって、出荷製品の通信性能の均質化、管理が十分になされていないのが実状であった。
【発明の開示】
【発明が解決しようとする課題】
【０００３】
本発明は、このような事情のもとで、無線タグが内蔵されていると共に、可視情報タグの挿脱着が可能であって、品質の安定化、生産性の向上及び外形サイズの小型化を図ることができるタグホルダー、このものを効率よく製造する方法、及びこの製造方法に用いられるタグホルダー用基材シートを提供することを目的としてなされたものである。
【課題を解決するための手段】
【０００４】
本発明者らは、前記目的を達成するために鋭意研究を重ねた結果、粘着剤層付き無線タグにおける粘着剤層に着目し、前記粘着剤層を利用して特定の折り曲げ操作を行うことにより、前記の好ましい性質を有する無線タグを内蔵してなるタグホルダーが効率よく得られることを見出し、この知見に基づいて本発明を完成するに至った。
すなわち、本発明は、
（１）粘着剤層付き無線タグと、二つの所定形状部と無線タグ固定用突出片を有するタグホルダー用基材シートからなり、可視情報タグを挿脱着するための開口部を有し、前記無線タグの粘着剤層が、前記無線タグ固定用突出片及び前記所定形状部に固定されていることを特徴とするタグホルダー、
（２）可視情報タグ及び無線タグの形状が方形状である上記(１)項に記載のタグホルダー、
（３）タグホルダー用基材シートが１枚の基材シートのみを用いて作製されてなる上記(１)又は(２)項に記載のタグホルダー、
（４）基材シートが透明性を有する、プラスチックシート、紙基材又はラミネート紙である上記(１)〜(３)項のいずれかに記載のタグホルダー、
（５）ホルダー本体部の大きさが、内蔵してなる無線タグとほぼ同じ大きさであり、かつ可視情報タグの大きさが、前記無線タグと同じ大きさであるか、又はそれより小さい上記(１)〜(４)項のいずれかに記載のタグホルダー、
（６）無線タグが、ＩＣチップ及びアンテナ回路を有する非接触ＩＣタグである上記(１)〜(５)項のいずれかに記載のタグホルダー、
（７）二つ折りすることで、無線タグの両面それぞれの全面を実質的に覆うことができる大きさの二つの所定形状部及び無線タグ固定用突出片を少なくとも有する基材シートを用い、
当該基材シートの前記所定形状部の一つに、粘着剤層付き無線タグを、その粘着剤層が上面になるように載置し、次いで当該基材シートを二つ折りして、もう一方の所定形状部を前記粘着剤層に貼合する工程、
を有することを特徴とする上記(２)〜(６)項のいずれかに記載のタグホルダーの製造方法、及び
（８）上記(７)項に記載の製造方法において用いられるタグホルダー用基材シート、
を提供するものである。
【発明の効果】
【０００５】
本発明によれば、無線タグが内蔵されていると共に、可視情報タグの挿脱着が可能であって、品質の安定化、生産性の向上及び外形サイズの小型化を図ることができるタグホルダー、このものを効率よく製造する方法、及びこの製造方法に用いられるタグホルダー用基材シートを提供することができる。
【発明を実施するための最良の形態】
【０００６】
本発明のタグホルダーは、粘着剤層付き無線タグと、二つの所定形状部と無線タグ固定用突出片を有するタグホルダー用基材シートからなり、可視情報タグを挿脱着するための開口部を有し、前記無線タグの粘着剤層が、前記無線タグ固定用突出片及び前記所定形状部に固定されていることを特徴とする。
このタグホルダーに内蔵される粘着剤層付き無線タグ、及び挿脱着可能な可視情報タグの形状は特に限定されるものではなく、円形や楕円形などでもよいが、当該タグホルダーの作製の面から、いずれも形状が方形状のタグであることが好ましい。また、ホルダー本体部の大きさは、可能な限り小型化にすることが求められる点から、前記の内蔵してなる無線タグとほぼ同じ大きさであることが好ましく、さらに、前記可視情報タグの大きさは、前記無線タグと同じ大きさであるか、又はそれより小さいことが好ましい。
本発明のタグホルダーに内蔵される粘着剤層付き無線タグとしては、ＩＣチップ及びアンテナ回路を有する片面又は両面粘着剤層付き非接触ＩＣタグ、あるいはアンテナ回路を有し、ＩＣチップを有しない片面又は両面粘着剤層付き非接触盗難防止用タグ、硬磁性体層と軟磁性体層とを有する片面又は両面粘着剤層付き磁気検知盗難防止用タグなどを用いることができる。
図１は、本発明のタグホルダーに内蔵される片面粘着剤層付き非接触ＩＣタグの１例の概略断面図である。片面粘着剤層付き非接触ＩＣタグ２０は、Ａ支持体１の一方の面に、接着剤層２を介して形成されたアンテナ回路３及びそれに接続されているＩＣチップ４が、Ｂ支持体６の両側に粘着剤層５及び粘着剤層７を有する両面粘着剤層によって、粘着剤層５が対面するように被覆されており、そして粘着剤層７には剥離シート１０が貼合されている。符号８は絶縁インキ、９は接着剤である。
【０００７】
このような片面粘着剤層付き非接触ＩＣタグは、例えば以下に示す方法に従って作製することができる。
まず、Ａ支持体１の一方の面に、接着剤層２を介して設けられるアンテナ回路３の形成及びそれに接続されたＩＣチップ４の実装は、以下のようにして行うことができる。
Ａ支持体１の一方の面に、接着剤層２を介して銅箔又はアルミニウム箔などの導電性金属箔を貼着する。前記のＡ支持体１及びＢ支持体６としては、従来、一般の非接触ＩＣタグの支持体として用いられている公知のプラスチックフィルム又は紙材の中から適宜選択して用いることができる。このようなプラスチックフィルムとしては、例えば、ポリエチレンテレフタレート、ポリブチレンテレフタレート、ポリエチレンナフタレートなどのポリエステルフィルム、ポリエチレンフィルム、ポリプロピレンフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリアミドフィルム、アクリル樹脂フィルム、ノルボルネン系樹脂フィルム、シクロオレフィン樹脂フィルム等を挙げることができる。紙材としては、上質紙、グラシン紙、クラフト紙、不織布等を挙げることができる。
これらの支持体の厚さは特に制限はなく、適宜選定されるが、通常５〜３００μｍ、好ましくは１０〜２００μｍの範囲である。また、この支持体は、プラスチックフィルムを用いる場合、その表面に設けられる層との密着性を向上させる目的で、所望により片面又は両面に、酸化法や凹凸化法などにより表面処理を施すことができる。上記酸化法としては、例えばコロナ放電処理、プラズマ処理、クロム酸処理（湿式）、火炎処理、熱風処理、オゾン・紫外線照射処理などが挙げられ、また、凹凸化法としては、例えばサンドブラスト法、溶剤処理法などが挙げられる。これらの表面処理法は支持体の種類に応じて適宜選ばれるが、一般にはコロナ放電処理法が効果及び操作性などの面から、好ましく用いられる。また、片面又は両面にプライマー処理を施したものも用いることができる。当該接着剤層２を構成する接着剤としては、ポリエステル系、ポリウレタン系などの公知の接着剤を用いることができる。この場合、図では接着剤層２が設けられているが、Ａ支持体１上に、直接蒸着や金属溶射などにより、銅薄膜又はアルミニウム薄膜などの導電性金属薄膜を設けてもよい。次いで、例えばリソグラフィー技術を用いるエッチング加工により回路パターンを形成する。また、これら以外の方法として、Ａ支持体１上に、導電性ペーストをシルクスクリーン印刷法などにより塗布し、回路パターンを形成してもよい。上記導電性ペーストは、銀粉末などの金属粒子、接着用樹脂、可塑剤、溶剤などを含有するものである。回路パターンの厚さは、通常１０〜４０μｍ程度である。
【０００８】
このようにして回路パターンを形成したのち、絶縁インキ８及び導電性ペーストをシルクスクリーン印刷法を用いてアンテナ回路３を形成すると共に、接着剤９を用いてＩＣチップ４を実装する。当該絶縁インキ８としては、アクリル樹脂、ウレタン樹脂、アクリルウレタン樹脂などを主成分としたものを用いることができる。当該接着剤９としては、エポキシ樹脂などを主成分とした異方導電性接着剤などを用いることができる。
このようにして、Ａ支持体１の一方の面に、接着剤層２を介して形成されたアンテナ回路３及びそれに接続されているＩＣチップ４を、剥離シート１０が貼合された、Ｂ支持体６の両面に粘着剤層５及び７を有する両面粘着剤層の粘着剤層５側の剥離シート１０を剥がし、該粘着剤層５が対面するように両面粘着剤層で被覆する。アンテナ回路３及びＩＣチップ４を有するインレットに積層する粘着剤層として、Ｂ支持体６を有する両面粘着剤層を用いたが、これに限られず、Ｂ支持体６を有さない粘着剤層単独のものを用いてもよい。
前記粘着剤層５及び７を構成する粘着剤としては、アクリル系、ゴム系、ポリエステル系、ポリウレタン系粘着剤などを用いることができるが、これらの中で耐候性などの面から、アクリル系粘着剤が好適である。該粘着剤層の厚さは、通常５〜６０μｍ、好ましくは１５〜４０μｍの範囲である。
また、粘着剤層５及び粘着剤層７に貼合される剥離シート１０としては、ポリエチレンテレフタレート（ＰＥＴ）、発泡ＰＥＴ、ポリプロピレンなどのプラスチックフィルムや、ポリエチレンラミネート紙、グラシン紙、クレーコート紙などに、剥離剤を塗布したものが用いられる。該剥離剤としては、シリコーン系のものが好ましく、その他フッ素系、長鎖アルキル基含有カーバメイト系のものなども使用することができる。剥離剤の塗布厚さは、通常０.１〜２.０μｍ、好ましくは０.５〜１.５μｍの範囲である。また、剥離シートの厚さについては特に制限はないが、通常２０〜１５０μｍ程度である。
最後に、所定形状に裁断することにより、本発明のタグホルダーに内蔵される片面粘着剤層付き非接触ＩＣタグが得られる。また、後述する袋状部を有する基材シートを用いる場合には、アンテナ回路３及びＩＣチップ４を有するインレットの両側に粘着剤層を設けた両面粘着剤層付き非接触ＩＣタグを用いることができる。
このＩＣタグは、前述のようにラベル型（方形状）のものが好ましく、そのサイズは用途にもよるが、ラベル型の場合、通常１０×１０ｍｍ〜１００×１００ｍｍ程度であり、また厚さは５０〜５００μｍ程度である（剥離シートを含まず）。
一方、タグホルダーに内蔵される粘着剤層付き無線タグが、粘着剤層付き非接触盗難防止用タグである場合、この非接触盗難防止用タグとしては、前記粘着剤層付き非接触ＩＣタグにおいて、ＩＣチップを実装しないこと以外は、同様にして作製されたタグを用いることができる。
【０００９】
本発明のタグホルダーにおいて、挿脱着が可能な可視情報タグとしては、例えば支持体表面に、手書きや、熱転写サーマル方式、ダイレクトサーマル方式、レーザー方式、その他の方式（ドットマトリックス方式、インクジェット方式など）で、商品の価格などの可視情報を印字したものを用いることができる。
この可視情報タグにおける支持体としては、例えば、前述の非接触ＩＣタグの説明において、支持体として例示したプラスチックフィルムと同じもの、あるいは合成紙、ラミネート紙、紙基材などを用いることができる。これらの支持体は、その表面に必要に応じインク受理層などを設けることができる。
また、支持体としてプラスチックフィルムを用いる場合には、前記非接触ＩＣタグにおける支持体の場合と同様に、所望により表面処理を施すことができる。
この可視情報タグの形状は、前述したように方形状が好ましく、また、その大きさは、本発明のタグホルダーに内蔵される無線タグの大きさと同じであるか、それよりも小さいものが好ましい。
次に、本発明のタグホルダー及びその製造方法について説明する。
本発明のタグホルダーは、それに内蔵される粘着剤付き無線タグの粘着剤層を利用し、特定の折り曲げ操作を行うことにより、前記無線タグが、その粘着剤層を介してホルダー内壁に固定されていると共に、可視情報タグを挿脱着するための開口部を有するタグホルダーを、外径サイズが小さく、かつ安定した品質でもって生産性よく得ることができる。
【００１０】
このタグホルダーに用いられる基材シートとしては、折り曲げ操作を行うために、ある程度の腰（剛性）を有し、かつホルダーとして適当な機械的強度を有するものであればよく、その材質については特に制限はない。例えばポリエチレン、ポリプロピレン、ポリメチルペンテンなどのポリオレフィン系樹脂、ポリエチレンテレフタレート、ポリブチレンテレフタレートなどのポリエステル系樹脂、ポリ塩化ビニル、ポリ塩化ビニリデン、ポリビニルアルコール、ポリスチレン、ポリカーボネート、ポリアミド、アクリル樹脂などのプラスチック製のシート、グラシン紙などの紙基材、ポリエチレンラミネート紙などを使用することができる。
当該基材シートとしては、可視情報タグを挿入した際に外部より認識できる程度の透明性を有することが好ましい。透明性を有していない場合には、挿入した可視情報タグを視認できるように、窓枠状に基材シートを切り抜く必要がある（図６参照）。
これらの基材シートの厚さについては特に制限はないが、通常１０〜５００μｍ程度、好ましくは２０〜２５０μｍである。
本発明のタグホルダーは、本発明の方法に従えば、以下に示す方法に従って製造することができる。
本発明の方法においては、二つ折りすることで、無線タグの両面それぞれの全面を実質的に覆うことができる大きさの二つの所定形状部及び無線タグ固定用突出片を少なくとも有する基材シートを用い、当該基材シートの前記所定形状部の一つに、片面粘着剤層付き無線タグを、その粘着剤層が上面になるように載置し、次いで当該基材シートを二つ折りして、もう一方の所定形状部を前記粘着剤層に貼合する工程を少なくとも施すことにより、前述した性状を有する本発明のタグホルダーを効率よく製造することができる。
また、前記の二つの所定形状部のいずれか一方の裏面側に同じ形状、サイズのシートを、開口部ができるように熱融着させ、予め可視情報タグが挿脱着できるように袋状部を形成した基材シートを用い、当該基材シートの前記所定形状部の一つの表面側に、両面粘着剤層付き無線タグを載置し、次いで当該基材シートを二つ折りして、もう一方の所定形状部を前記粘着剤層に貼合する工程を少なくとも施すことによって、本発明のタグホルダーを製造することもできる。
【００１１】
次に、本発明のタグホルダーの製造方法における具体例について説明する。
図２〜図６は、それぞれ異なる形状の基材シートを用いて、本発明のタグホルダーを製造する方法を示す工程図である。
図２において、基材シート２７は、折り線２６にて二つ折りすることで、無線タグの両面それぞれの全面を実質的に覆うことができる大きさの二つの方形状部２１ａ及び２１ｂを有すると共に、前記無線タグ固定用の突出片２２を有している［図（ａ）］。
まず、方形状部２１ａ上に片面粘着剤層付き無線タグを、その粘着剤層２５が上面になるように載置する［図（ｂ）］。次いで折り線２４にて、無線タグ固定用の突出片２２を折り曲げて、無線タグの粘着剤層２５に貼合して該無線タグを固定すると共に［図（ｃ）］、方形状部２１ｂを折り線２６にて折り曲げ、粘着剤層２５に貼合することにより、本発明のタグホルダー２８が得られる［図（ｄ）］。なお、符号２３ａ、２３ｂ及び２３は、所望により設けられる紐通し用穴を示す。
このようにして得られた本発明のタグホルダーは、無線タグが、その粘着剤層を介してホルダー内壁に固定されていると共に、当該無線タグの粘着剤層とは反対側の空間部に、可視情報タグを挿脱着するための開口部を有している。
図３において、基材シート３７は、折り線３６にて二つ折りすることで、無線タグの両面それぞれの全面を実質的に覆うことができる大きさの二つの方形状部３１ａ及び３１ｂを有すると共に、前記無線タグ固定用の突出片３２を有している［図（ａ）］。
まず、方形状部３１ａ上に粘着剤層付き無線タグを、その粘着剤層３５が上面になるように載置する［図（ｂ）］。次いで折り線３４にて、無線タグ固定用の突出片３２を折り曲げて、無線タグの粘着剤層３５に貼合して該無線タグを固定すると共に［図（ｃ）］、方形状部３１ｂを折り線３６にて折り曲げ、粘着剤層３５に貼合することにより、本発明のタグホルダー３８が得られる［図（ｄ）］。なお、符号３３ａ、３３ｂ及び３３は、所望により設けられる紐通し用穴を示す。
図４において、基材シート４７は、折り線４６にて二つ折りすることで、無線タグの両面それぞれの全面を実質的に覆うことができる大きさの二つの方形状部４１ａ及び４１ｂを有すると共に、前記無線タグ固定用の突出片４２ａ及び４２ｂを有している［図（ａ）］。
まず、方形状部４１ａ上に粘着剤層付き無線タグを、その粘着剤層４５が上面になるように載置する［図（ｂ）］。次いで折り線４４ａ及び４４ｂにて、それぞれ無線タグ固定用の突出片４２ａ及び４２ｂを折り曲げて、無線タグの粘着剤層４５に貼合して該無線タグを固定すると共に［図（ｃ）］、方形状部４１ｂを折り線４６にて折り曲げ、粘着剤層４５に貼合することにより、本発明のタグホルダー４８が得られる［図（ｄ）］。なお、符号４３ａ、４３ｂ及び４３は、所望により設けられる紐通し用穴を示す。
【００１２】
図５において、基材シート５７は、折り線５６にて二つ折りすることで、無線タグの両面それぞれの全面を実質的に覆うことができる大きさの二つの方形状部５１ａ及び５１ｂを有すると共に、前記無線タグ固定用の突出片５２ａ及び５２ｂを有している［図（ａ）］。
まず、方形状部５１ａ上に粘着剤層付き無線タグを、その粘着剤層５５が上面になるように載置する［図（ｂ）］。次いで折り線５４ａ及び５４ｂにて、それぞれ無線タグ固定用の突出片５２ａ及び５２ｂを折り曲げて、無線タグの粘着剤層５５に貼合して該無線タグを固定すると共に［図（ｃ）］、方形状部５１ｂを折り線５６にて折り曲げ、粘着剤層５５に貼合することにより、本発明のタグホルダー５８が得られる［図（ｄ）］。なお、符号５３ａ、５３ｂ及び５３は、所望により設けられる紐通し用穴を示す。
図６において、基材シート６７は、不透明シートであって、折り線６６にて二つ折りすることで、無線タグの両面それぞれの全面を実質的に覆うことができる大きさの二つの方形状部６１ａ及び６１ｂを有すると共に、前記無線タグ固定用の突出片６２ａ及び６２ｂを有している［図（ａ）］。なお、方形状部６１ａには、長方形の切り抜き部６０が設けられている。
まず、方形状部６１ａ上に粘着剤層付き無線タグを、その粘着剤層６５が上面になるように載置する［図（ｂ）］。次いで折り線６４ａ及び６４ｂにて、それぞれ無線タグ固定用の突出片６２ａ及び６２ｂを折り曲げて、無線タグの粘着剤層６５に貼合して該無線タグを固定すると共に［図（ｃ）］、方形状部６１ｂを折り線６６にて折り曲げ、粘着剤層６５に貼合することにより、本発明のタグホルダー６８が得られる［図（ｄ）］。なお、符号６３ａ、６３ｂ及び６３は、所望により設けられる紐通し用穴を示す。
このようなタグホルダーにおいては、可視情報タグは、切り抜き部６０から、視認することができる。
図７で示される基材シート７０は、図４における基材シート４７の変形型であり、図８で示される基材シート８０は、図５における基材シート５７の変形型である。
図９は、図２で示されるタグホルダー２８における可視情報タグを挿脱着するための開口部の１例を示す説明図、図１０は、上記タグホルダー２８に可視情報タグを挿入する状態の１例を示す説明図、図１１は上記タグホルダー２８に可視情報タグを挿入し、外部から見た状態の１例を示す説明図である。
図９では、基材シートの方形状部２１ｂに、粘着剤層２５付き非接触ＩＣタグ２０が、粘着剤層２５を介して固定されると共に、方形状部２１ａと非接触ＩＣタグ２０とで開口部２９が形成されていることが示されている。
図１０において、符号２３は紐通し穴、９０は可視情報タグであり、タグホルダーを取り付ける商品の価格などを印字した可視情報タグ９０を矢印の方向からタグホルダー２８の開口部２９に挿入する。
図１１では、可視情報タグ９０が挿入されて、商品などに取り付ける状態の本発明のタグホルダー２８が示されている。
図１２は、予め可視情報タグが挿脱着できるように袋状部を形成した基材シートを用いて形成されてなる本発明のタグホルダーの構成の１例を示す概略断面図である。
基材シートにおける方形状部９１ａ上に、両面粘着剤層付き非接触ＩＣタグ９２が、粘着剤層９５を介して固定されていると共に、他方の粘着剤層９５'を介して、基材シートの方形状部９１ｂが接合されている。
この方形状部９１ｂは、予め基材シート９４と熱融着させ、空間部９３が形成されるように、袋状部を有している。
このような本発明のタグホルダーは、無線タグが内蔵されていると共に、可視情報タグの挿脱着が可能であって、品質の安定化、生産性の向上及び外形サイズの小型化を図ることができ、例えば宝石類などの高価格品分野において、好適に用いられる。
本発明はまた、前述した本発明のタグホルダーの製造方法において用いられる基材シートをも提供する。
【実施例】
【００１３】
次に、本発明を実施例により、さらに詳細に説明するが、本発明は、これらの例によってなんら限定されるものではない。
実施例１
厚さ７０μｍのポリ塩化ビニルフィルム［三菱ＭＫＶ(株)製、商品名「アルトロン＃３８０」］を用い、図２（ａ）に示す形状の基材シートに裁断した。なお、図２（ａ）において、２１ａ又は２１ｂで形成される長方形の長辺の長さは３０ｍｍであり、短辺の長さは２０ｍｍであった。
粘着剤層付き無線タグとして、粘着剤層付き非接触ＩＣタグ［リンテック(株)製、商品名「ＴＳ−Ｌ１０２ＪＣ」、サイズ２０×３０ｍｍ、厚さ２００μｍ］を用い、前記基材シートを、図２（ａ）〜（ｄ）に従って折り曲げ加工し、図２（ｄ）に示すタグホルダーを作製した。このようにして得られた無線タグ内蔵タグホルダーの本体部のサイズは、約２０×３０ｍｍであった。
このタグホルダーにおいては、無線タグの粘着剤層とは反対側の空間部に、無線タグと同一サイズの方形状の可視情報タグを挿脱着したが、極めて容易に行えた。
実施例２
実施例１において、厚さ７０μｍのポリ塩化ビニルフィルムの代わりに、厚さ４０μｍのポリプロピレンフィルム［王子特殊紙(株)製、商品名「アルファン」］を用いた以外は、実施例１と同様にして、無線タグ内臓タグホルダーを作製した。
このタグホルダーにおいては、無線タグの粘着剤層とは反対側の空間部に、無線タグと同一サイズの方形状の可視情報タグを挿脱着したが、極めて容易に行えた。
実施例３
実施例１において、厚さ７０μｍのポリ塩化ビニルフィルムの代わりに、厚さ３１μｍの透明グラシン紙［リンテック(株)製、商品名「クリスタルウインドウ」］を用いた以外は、実施例１と同様にして、無線タグ内臓タグホルダーを作製した。
このタグホルダーにおいては、無線タグの粘着剤層とは反対側の空間部に、無線タグと同一サイズの方形状の可視情報タグを挿脱着したが、極めて容易に行えた。
【産業上の利用可能性】
【００１４】
本発明のタグホルダーは、無線タグが内蔵されていると共に、可視情報タグの挿脱着が可能であって、無線タグと同サイズまで小型化が可能で、簡単に作製することができ、宝石類などの高価格品の販売分野等において好適に用いられる。
【図面の簡単な説明】
【００１５】
【図１】本発明のタグホルダーに内蔵される片面粘着剤層付き非接触ＩＣタグの１例の概略断面図である。
【図２】本発明のタグホルダーの製造方法の１例を示す工程図である。
【図３】本発明のタグホルダーの製造方法の別の例を示す工程図である。
【図４】本発明のタグホルダーの製造方法の別の例を示す工程図である。
【図５】本発明のタグホルダーの製造方法の別の例を示す工程図である。
【図６】本発明のタグホルダーの製造方法の別の例を示す工程図である。
【図７】本発明のタグホルダーの製造方法において用いられる基材シートの形状の異なる例を示す図である。
【図８】本発明のタグホルダーの製造方法において用いられる基材シートの形状の別の異なる例を示す図である。
【図９】タグホルダーにおける可視情報タグを挿脱着するための開口部の１例を示す説明図である。
【図１０】タグホルダーに可視情報タグを挿入する状態の１例を示す説明図である。
【図１１】タグホルダーに可視情報タグを挿入し、外部から見た状態の１例を示す説明図である。
【図１２】予め可視情報タグが挿脱着できるように袋状部を形成した基材シートを用いて作製されてなる本発明のタグホルダーの構成の１例を示す概略断面図である。
【符号の説明】
【００１６】
１  Ａ支持体
２  接着剤層
３  アンテナ回路
４  ＩＣチップ
５、７  粘着剤層
６  Ｂ支持体
８  絶縁インキ
９  接着剤
１０  剥離シート
２０  粘着剤層付き非接触ＩＣタグ
２１ａ、２１ｂ、３１ａ、３１ｂ、４１ａ、４１ｂ、５１ａ、５１ｂ、６１ａ、６１ｂ、９１ａ、９１ｂ  方形状部
２２、３２、４２ａ、４２ｂ、５２ａ、５２ｂ、６２ａ、６２ｂ  ＩＣタグ固定用突出片
２３ａ、２３ｂ、２３、３３ａ、３３ｂ、３３、４３ａ、４３ｂ、４３、５３ａ、５３ｂ、５３、６３ａ、６３ｂ、６３  紐通し用穴
２４、３４、４４ａ、４４ｂ、５４ａ、５４ｂ、６４ａ、６４ｂ  折り線
２５、３５、４５、５５、６５、９５、９５'  粘着剤層
２６、３６、４６、５６、６６  折り線
２７、３７、４７、５７、６７、７０、８０  基材シート
２８、３８、４８、５８、６８、９８  タグホルダー
２９  開口部
６０  切り抜き部
９０  可視情報タグ
９２  両面粘着剤層付き非接触ＩＣタグ
９３  空間部
９４  基材シート
【図１】
2007072896.tif 000003
【図２】
2007072896.tif 000004
【図３】
2007072896.tif 000005
【図４】
2007072896.tif 000006
【図５】
2007072896.tif 000007
【図６】
2007072896.tif 000008
【図７】
2007072896.tif 000009
【図８】
2007072896.tif 000010
【図９】
2007072896.tif 000011
【図１０】
2007072896.tif 000012
【図１１】
2007072896.tif 000013
【図１２】
2007072896.tif 000014